(57)【要約】【課題】  構造が簡単で安価に製造することができ、電池を携帯電気機器、電子機器・電気機器内に容易に且つ確実に取り付けることができる電池取付装置及びこの電池取付装置に用いる電池ケースを提供する。【解決手段】電池を取り付ける電池取付部を備える電池ケースと、上記電池ケースを収納する電池ケース収納部を備える携帯電気機器、電子機器・電気機器とからなる。上記電池ケース収納部には上記電池ケースの一方の嵌め合せ構造と、上記電池ケースの一方の挿入ガイド機構を形成する。上記電池ケースには上記一方の嵌め合せ構造に嵌め合わせられる他方の嵌め合せ構造と、上記一方の挿入ガイド機構に挿入される他方の挿入ガイド機構を形成する。さらに、上記電池ケースには上記他方の嵌め合せ構造と上記他方の挿入ガイド機構との間に滑り構造部を備える。【選択図】図５（ａ）
2019003829.tif 000002
【特許請求の範囲】
【請求項１】
電池を取り付ける電池取付部を備える電池ケースと、上記電池ケースを収納する電池ケース収納部を備える携帯電気機器、電子機器・電気機器とからなり、上記電池ケース収納部には上記電池ケースの一方の嵌め合せ構造と、上記電池ケースの一方の挿入ガイド機構を形成し、上記電池ケースには上記一方の嵌め合せ構造に嵌め合わせられる他方の嵌め合せ構造と、上記一方の挿入ガイド機構に挿入される他方の挿入ガイド機構を形成し、上記電池ケースには上記他方の嵌め合せ構造と上記他方の挿入ガイド機構との間に滑り構造部を備えることを特徴とする電池取付装置。
【請求項２】
上記一方の嵌め合せ構造は、上記電池ケース収納部の開口部に付近に形成され、上記他方の嵌め合せ構造は上記電池ケースの蓋体に形成され、上記一方又は他方のいずれか一方の嵌め合せ構造は雌ねじ又は雄ねじであり、上記他方の嵌め合せ構造は雄ねじ又は雌ねじであり、上記雌ねじと雄ねじをねじ合わせることにより、上記電池ケースを上記電池ケース収納部に収納することを特徴とする請求項１に記載の電池取付装置。
【請求項３】
上記一方の挿入ガイド機構は、上記電池ケース収納部に形成された凸部又は凹部であり、上記他方の挿入ガイド機構は上記電池ケースに形成された凹部又は凸部であり、上記一方の挿入ガイド機構が上記他方の挿入ガイド機構に沿って案内されて上記電池ケースが上記電池ケース収納部に挿入され、収納されることを特徴とする請求項１に記載の電池取付装置。
【請求項４】
上記電池ケース収納部に形成される上記凸条部又は凹条部は、上記電池ケースの挿入方向に延び、１つであり、上記電池ケースに形成される凹条部又は凸条部は、上記電池ケースの挿入方向に延び、１つであることを特徴とする請求項３に記載の電池取付装置。
【請求項５】
上記電池ケース収納部に形成される上記凸条部又は凹条部は、上記電池ケースの挿入方向に延び、少なくとも２つ以上であり、少なくとも一つの凸条部又は凹条部は大きさを異ならせ、上記電池ケースに形成される上記凹条部又は凸条部は、上記電池ケースの挿入方向に延び、少なくとも２つ以上であり、少なくとも一つの凹条部又は凸条部は大きさを異ならせることを特徴とする請求項３に記載の電池取付装置。
【請求項６】
上記滑り構造部は、上記電池取付部に形成され上記電池ケースの挿入方向に伸びる軸に上記蓋体を回転自在に取り付けることにより構成したことを特徴とする請求項１に記載の電池取付装置。
【請求項７】
電池を取り付ける電池取付部と、携帯電気機器、電子機器・電気機器の電池ケース収納部に形成された電池ケースの一方の嵌め合せ構造に嵌め合わせられる他方の嵌め合せ構造と、上記電池ケース収納部に形成された電池ケースの一方の挿入ガイド機構に挿入される他方の挿入ガイド機構とを形成し、上記他方の嵌め合せ構造と他方の挿入ガイド機構との間に滑り構造部を備えることを特徴とする電池ケース。
【請求項８】
上記電池ケースは、さらに蓋体を備え、上記他方の嵌め合せ構造は上記蓋体に形成された雄ねじ又は雌ねじよりなり、上記他方の挿入ガイド機構は上記電池ケースに形成された凹条部又は凸条部よりなることを特徴とする請求項７に記載の電池ケース。
【請求項９】
上記滑り構造部は、上記電池取付部に形成され上記電池ケースの挿入方向に伸びる軸に上記蓋体を回転自在に取り付けることにより構成されることを特徴とする請求項７に記載の電池ケース。
【請求項１０】
上記電池取付部は、電池の両端を抑える電池端部抑え部と、各電池間の隔壁を形成する隔壁部と、電池側部を抑える電池側部抑え部とからなり、上記電池側部抑え部は樹脂材料の弾性力を利用して電池側部を抑えて保持するように電池の径より小さい径になるように成型されることを特徴とする請求項７に記載の電池ケース。
【請求項１１】
上記電池端部抑え部は、電池のプラス電極又はマイナス電極と接触し、かつ電池のプラス電極又はマイナス電極間を接続するコイルばねを備え、上記蓋体が取り付けられる電池端部抑え部の反対側の電池端部抑え部には、電池のプラス電極又はマイナス電極に対向する箇所に開口部を形成し、上記開口部より上記電池ケース収納部に形成されたプラス側の電池接続端子とマイナス側の電池接続端子がそれぞれ入り込み、電池のプラス電極又はマイナス電極と接触することを特徴とする請求項１０に記載の電池ケース。
【請求項１２】
上記電池端部抑え部は、上記コイルばねを取り付けるため、２つの逆Ｌ字形突条部を向かい合わせに配置して、上記２つの逆Ｌ字形突条部間に形成した溝を備え、上記コイルばねが挿入される側の上記逆Ｌ字形突条部の水平部にテーパーを形成したことを特徴とする請求項１０、１１に記載の電池ケース。
【請求項１３】
上記溝の内側にコイルばね抜け止め用突部を形成したことを特徴とする請求項１２に記載の電池ケース。
【発明の詳細な説明】
【技術分野】
【０００１】
本発明は、電池取付装置及び電池ケースに関し、特に、構造が簡単で安価に製造することができ、電池を携帯電気機器、電子機器・電気機器内に容易に且つ確実に収納することができる電池取付装置及びこの電池取付装置に用いる電池ケースに関する。
【背景技術】
【０００２】
電池を電池ケースに取り付け、その電池ケースを携帯電気機器、電子機器・電気機器内に収納する電池取付装置は公知である。たとえば、本件特許出願人の特許第３６５９３８１号（特開平１１−２１３９７３号公報）がある。この特許は、電池を取り付ける電池取付部を備える電池ケースと、この電池ケースを収納する電池ケース収納部を備える電子機器とからなる。電池ケースは、中心筒部の一方の端部に固定された蓋体を有する電池ケース上と、中心筒部の他方の端部に固定された電池端部収納部を有する電池ケース下とを備え、蓋体に一方の電池端子を形成するとともに、電池端部収納部に他方の電池端子を形成し、電池ケース下の外側に電池端子に接続されたプラス側電池端子とマイナス側電池端子を形成する。そして、電池端部収納部に電池が挿入され、かつ電池のプラス端子とマイナス端子を蓋体の電池端子と電池端部収納部の電池端子にそれぞれ接触させて、電池ケースの蓋体の周囲に形成された嵌め合せ構造を電池ケース収納部の開口部に形成した嵌め合せ構造に嵌め合わせて、電池ケースが電池ケース収納部に収納されたとき、電池ケースのプラス側電池端子とマイナス側電池端子を電池ケース収納部の底壁に形成されたプラス側接続端子とマイナス側接続端子に各々接触させるものである。
【０００３】
上記嵌め合わせ構造は、電池ケース収納部の開口部内側に形成した雌ねじと、蓋体外側に形成した雄ねじにより構成される。また、電池ケース収納部の底壁に形成されたプラス側接続端子とマイナス側接続端子のいずれか一方は、電池ケース収納部の底壁の中心位置に形成され、他方は上記中心位置より離れた周囲に形成される。
【先行技術文献】
【特許文献】
【０００４】
【特許文献１】特許第３６５９３８１号（特開平１１−２１３９７３号公報）
【発明の概要】
【発明が解決しようとする課題】
【０００５】
本発明は、構造が簡単で安価に製造することができ、電池を携帯電気機器、電子機器・電気機器内に容易に且つ確実に収納することができる電池取付装置及びこの電池取付装置に用いる電池ケースを提供することを目的とする。この目的を達成するために、本発明の電池取付装置及び電池ケースは、上記特許の電池取付装置及び電池ケースより構成部品点数を少なくして構造を簡単にすることにより、組立を容易にし組立工程数を少なくして安価に製造することを可能にするものである。また、本発明の電池取付装置及び電池ケースは、電池を電池ケースに取り付けたとき、またこの電池ケースを携帯電気機器、電子機器・電気機器内に収納したとき、電池が電池ケース内で、また電池ケースが携帯電気機器、電子機器・電気機器内で振動しないように取り付け、電池を確実に保持し、収納するものである。
【課題を解決するための手段】
【０００６】
本発明の電池取付装置は、上記課題を解決するため、電池を取り付ける電池取付部を備える電池ケースと、上記電池ケースを収納する電池ケース収納部を備える携帯電気機器、電子機器・電気機器とからなる。上記電池ケース収納部には上記電池ケースの一方の嵌め合せ構造と、上記電池ケースの一方の挿入ガイド機構を形成する。また、上記電池ケースには上記一方の嵌め合せ構造に嵌め合わせられる他方の嵌め合せ構造と、上記一方の挿入ガイド機構に挿入される他方の挿入ガイド機構を形成する。さらに、上記電池ケースには上記他方の嵌め合せ構造と上記他方の挿入ガイド機構との間に滑り構造部を備えるものである。
【０００７】
ここで、上記一方の嵌め合せ構造は、上記電池ケース収納部の開口部の付近に形成され、上記他方の嵌め合せ構造は上記電池ケースの蓋体に形成される。上記一方又は他方のいずれか一方の嵌め合せ構造は雌ねじ又は雄ねじであり、上記他方の嵌め合せ構造は雄ねじ又は雌ねじであり、上記雌ねじと雄ねじをねじ合わせることにより、上記電池ケースを上記電池ケース収納部に収納する。
【０００８】
また、上記一方の挿入ガイド機構は、上記電池ケース収納部に形成された凸条部又は凹条部であり、上記他方の挿入ガイド機構は上記電池ケースに形成された凹条部又は凸条部である。上記一方の挿入ガイド機構が上記他方の挿入ガイド機構に沿って案内されて上記電池ケースが上記電池ケース収納部に挿入され、収納される。
【０００９】
上記電池ケース収納部に形成される上記凸条部又は凹条部は、上記電池ケースの挿入方向に延び、１つであり、上記電池ケースに形成される上記凹条部又は凸条部は、上記電池ケースの挿入方向に延び、１つである。
【００１０】
または、上記電池ケース収納部に形成される上記凸条部又は凹条部は、上記電池ケースの挿入方向に延び、少なくとも２つ以上であり、少なくとも一つの凸条部又は凹条部は大きさを異ならせる。即ち、凸条部の突出部分の高さ或いは幅、又は突出部分の高さ及び幅を異ならせ、凹条部のへこみの幅或いは深さ、又はへこみの幅及び深さを異ならせる。また、上記電池ケースに形成される上記凹条部又は凸条部は、上記電池ケースの挿入方向に延び、少なくとも２つ以上であり、少なくとも一つの凹条部又は凸条部は大きさを異ならせる。即ち、凹条部のへこみの幅或いは深さ、又はへこみの幅及び深さを異ならせ、凸条部の突出部分の高さ或いは幅、又は突出部分の高さ及び幅を異ならせる。
【００１１】
もしくは、上記電池ケース収納部に形成される上記凸条部又は凹条部は、上記電池ケースの挿入方向に延び、少なくとも２つ以上であり、上記電池ケースの挿入方向に直交する線に対して非対称位置に配置される。また、上記電池ケースに形成される凹条部又は凸条部は、上記電池ケースの挿入方向に延び、少なくとも２つ以上であり、上記電池ケース収納部に形成される上記凸条部又は凹条部の配置に対応して、上記電池ケースの挿入方向に直交する線に対して非対称位置に配置される。
【００１２】
また、本発明の電池取付装置において滑り構造部は、上記電池取付部に形成され上記電池ケースの挿入方向に伸びる軸に上記蓋体を回転自由に取り付けることにより構成される。
【００１３】
また、上記軸は、上記蓋体に取り付ける回転リングの厚さと回転余裕分だけ長く形成され、上記軸の先端部にフランジを備え、上記軸に上記回転リングを嵌めることにより上記滑り構造が構成される。上記回転リングは一部を切り欠きほぼＣ字形に形成され、上記切り欠き箇所から上記軸に嵌められる。上記軸とフランジは樹脂材料により電池取付部と一体成型することが望ましい。
【００１４】
本発明の電池ケースは、電池を取り付ける電池取付部と、携帯電気機器、電子機器・電気機器の電池ケース収納部に形成された電池ケースの一方の嵌め合せ構造に嵌め合わせられる他方の嵌め合せ構造と、上記電池ケース収納部に形成された電池ケースの一方の挿入ガイド機構に挿入される他方の挿入ガイド機構とを形成する。また、上記電池ケースに上記他方の嵌め合せ構造と他方の挿入ガイド機構との間に滑り構造部を備えることにより構成される。
【００１５】
また、上記電池ケースは、さらに蓋体を備え、上記他方の嵌め合せ構造は上記蓋体に形成された雄ねじ又は雌ねじよりなり、上記他方の挿入ガイド機構は上記電池ケースに形成された凹条部又は凸条部よりなる。
【００１６】
また、本発明の電池ケースにおいて上記滑り構造部は、上記電池取付部に形成され上記電池ケースの挿入方向に伸びる軸に上記蓋体を回転自由に取り付けることにより構成される。
【００１７】
また、上記軸は、上記蓋体に取り付ける回転リングの厚さと回転余裕分だけ長く形成され、その先端部にフランジを備える。上記回転リングは一部を切り欠きほぼＣ字形に形成され、上記切り欠き箇所から上記軸に嵌められる。上記軸とフランジは樹脂材料により電池取付部と一体成型されることが望ましい。
【００１８】
また、上記電池取付部は、電池の両端、即ち電池のプラス電極とマイナス電極を押さえる２つの電池端部押さえ部と、各電池間の隔壁を形成する隔壁部と、電池側部を押さえる電池側部押さえ部とからなり、上記２つの電池端部押さえ部、隔壁部及び電池側部押さえ部は樹脂材料により一体成型される。そして、上記電池側部押さえ部は樹脂材料の弾性力を利用して電池側部を押さえて保持するため電池外径より小さい径になるように形成する。
【００１９】
また、上記電池端部押さえ部は、電池のプラス電極又はマイナス電極と接触し、かつ電池のプラス電極又はマイナス電極間を接続するコイルばねを備える。さらに上記２つの電池端部抑え部のうち上記蓋体が取り付けられる電池端部押さえ部の反対側の電池端部押さえ部には、電池のプラス電極又はマイナス電極に対向する箇所に開口部を形成し、上記開口より上記電池ケース収納部に形成されたプラス側接続端子とマイナス側接続端子がそれぞれ入り込み、電池のプラス電極又はマイナス電極と接触する。なお、コイルばねの挿入前に上記開口部より工具を挿入して上記回転リングを上記蓋体に固定する。
【００２０】
また、上記電池端部押さえ部に上記コイルばねを取り付けるため、２つの逆Ｌ字形突条部を向かい合わせに配置して、上記２つの逆Ｌ字形突条部間に形成した溝を備える。そして、コイルばねが挿入される側の上記逆Ｌ字形突条部の水平部にテーパーを形成する。
【００２１】
また、上記溝の内側にコイルばね抜け止め用突部を形成する。
【発明の効果】
【００２２】
本発明によれば、構造が簡単で安価に製造することができ、電池を携帯電気機器、電子機器・電気機器内に容易に且つ確実に収納することができる電池取付装置及びこの電池取付装置に用いる電池ケースが提供される。
【００２３】
また、本発明では、電池ケースのねじの回転によらず電池収納部は回転することなくねじの軸方向にのみスライドさせることができる。さらに、電池ケースねじ部と電池取付部は構造が独立しているため、回転機構を持ちながらも電池取付部は自由な形状に設計することができ、設計の自由度が大幅に向上する。
【図面の簡単な説明】
【００２４】
【図１】は、本発明の電池取付装置及び電池ケースを備える携帯電気機器、電子機器・電気機器の一例として示す電気メガホンの斜視図である。
【図２】は、電気メガホンの断面図である。
【図３】は、電気メガホンの背面図である。
【図４】は、電気メガホンのホーンマウス及びメガホンボディーの分解断面図である。
【図５（ａ）】は、本発明の電池ケースを分解した状態の斜視図である。
【図５（ｂ）】は、電池ケースを組立てた状態の断面図である。
【図５（ｃ）】は、電池ケースの一部を透視した斜視図である。
【図６】は、電池ケースを取り外した状態の電気メガホンの背面図である。
【図７】は、電気メガホンのハンドルの分解図である。
【図８】は、電池交換を説明するための電気メガホンの一部後方斜視図及び電池ケースの斜視図である。
【図９】は、第２実施例を説明するために、電池ケースを取り外した状態の電気メガホンの背面図である。
【図１０（ａ）】は、第３実施例を説明するために、コイルばねを取り付ける前の電池端部抑え部の平面図である。
【図１０（ｂ）】は、コイルばねを取り付けた状態の電池端部抑え部の平面図である。
【発明を実施するための形態】
【００２５】
第１実施例
（電気メガホン）
本発明の電池取付装置及び電池ケースは、たとえば電気メガホンに好適に使用される。しかし、電気メガホンだけでなく、電池を使用する携帯電気機器、おもちゃ、工具等の各種電子機器・電気機器に使用可能である。
携帯電気機器、電子機器・電気機器の一例として示す電気メガホン１は、図１に示すように、たとえばホーンマウス２、メガホンボディー３、ハンドル４とから構成される。メガホンボディー３の後方部分に本発明の電池取付装置１００が備えられる。電気メガホン１は、図２に示すように、ホーンマウス２の内部にリング状永久磁石５、ヨーク６、プレート７よりなる磁気回路を備え、ヨーク６とプレート７との間に形成された磁気ギャップにボイスコイル（図示しない）が挿入される。ボイスコイルの上端はドーム状振動板８に結合され、ボイスコイルに入力された音響信号が磁器回路とともに作用して振動板８により音響振動に変換される。振動板８の前方にイコライザ９、スロート１０が備えられ、スロート１０の開口部分にチューブ１１、レフレクタ１２が取り付けられ、ホーンマウス２開口部より音響振動が放出される。
【００２６】
レフレクタ１２はホーンマウス２にねじ１３によりねじ止めされ、さらにねじ１３をメガホンボディー３のボス１４に締めこむことにより、ホーンマウス２とメガホンボディー３を結合する。ホーンマウス２とメガホンボディー３を結合する際、図４に示すように、ホーンマウス２の内側にスロートパッキング１５を嵌め、外側にゴム、柔軟樹脂等よりなる防水パッキング１６を介して取り付け、ホーンマウス２とメガホンボディー３の間隙を充填して気密及び防水構造にする。
【００２７】
また、図４に示すように、メガホンボディー３の内部後方部にマイクユニット２１を配置する。マイクユニット２１はメインマイク２２とサブマイク２３とからなり、メインマイク２２とサブマイク２３は緩衝作用と防水作用のある、たとえばゴム等の薄い膜２４、２５を介してメガホンボディー３の後方に取り付ける。即ち、メインマイク２２とサブマイク２３を包み込むように成形したゴム等の薄い膜２４、２５に入れ、マイク抑え２６に収納する。このようにしてマイク抑え２６に収納したメインマイク２２とサブマイク２３をメガホンボディー２の後方内壁に形成したリブ２７に嵌めこみ、メインマイク２２とサブマイク２３を電気メガホンの水平方向に並べて配置する。メインマイク２２は電気メガホンの中心線を通る垂直線上に配置され、メインマイク２２が対向する箇所のメガホンボディー３には小さい開口２８（図３、図６、図９参照）が形成され、外部の音響がメインマイク２２に入力されるようにする。
【００２８】
メインマイク２２はゴム等の薄い膜２４で覆われ防水効果を得ているが、開口２８に対応してゴム等の薄い膜２４には開口２９が形成されている。このように、開口２８と開口２９が対向して配置されることにより、音響振動がメインマイク２２に入力される。さらにゴム等の薄い膜２４は緩衝作用があるためメガホン本体の振動が入力されるのを防止し、Ｓ／Ｎ比の高い入力信号が得られるようにしている。
一方、サブマイク２３はハウリング防止用として用いられる。そのためサブマイク２３が対向する箇所のメガホンボディー３には開口が形成されず外部の音響が入力されない構造とされている。このようにサブマイク２３の前方のメガホンボディー３には開口がないので防水が完全に行える。しかし、図６、図９に示すように、サブマイク２３に対応する箇所のメガホンボディー３に小さい穴を形成して、サブマイク２３にも外部音響が入力されるようにしてもよい。
【００２９】
電気メガホン１はホーンマウス２より出力された音響振動が電気メガホン１の周囲を回りこんでメインマイク２２に入力する音響振動と、振動板８のバックプレッシャが電気メガホン１の内部を通ってメインマイク２２とサブマイク２３に入力する音響振動と、電気メガホン自身の振動がメインマイク２２とサブマイク２３に入力する音響振動とによってハウリングを起こす。この中、サブマイク２３は振動板８のバックプレッシャによる振動と、メガホン自身の振動による振動とを同相に受ける。このようにしてサブマイク２３に入力した振動を電気信号に変換して、メインマイク２２で変換した電気信号と逆位相で増幅器に入力してミキシングすることによりハウリングを防止する。
【００３０】
メガホンボディー３の後方上部にアンプを構成する電気部品よりなる回路３０を搭載するプリント基板３１を取り付ける。プリント基板３１はメガホンボディー３の後壁に形成したリブ（図示しない）と基板押さえ３２により挟むようにして取り付けられる。基板押さえ３２は、樹脂材料、例えばＡＳＡ樹脂よりなり、回路３０に電気接続されたマイナス側の電池接続端子３３とプラス側の電池接続端子３４を備える。この基板押さえ３２を電池ケース収納部１０２の電池ケース収納部後壁１０４にネジ止めしてプリント基板３１を取り付ける。図６、図９に示すように、電池ケース収納部後壁１０４に小さい開口が形成され、マイナス側の電池接続端子３３とプラス側の電池接続端子３４の先端が開口より飛び出している。
【００３１】
（電池取付装置）
メガホンボディー３の後方に本発明の電池取付装置１００を形成する。電池取付装置１００を形成する箇所は、携帯電気機器、電子機器・電気機器の後方に限らず、底面、右或いは左側面又は上面などでもよく、正面であってもよい。本発明の電池取付装置１００は、電池を取り付ける電池取付部１１０を備える電池ケース１０１と、この電池ケース１０１を収納する電池ケース収納部１０２を備える携帯電気機器、電子機器・電気機器よりなる。電池ケース収納部１０２は電気メガホン１の軸方向と電池ケース１０１の挿入方向を一致させ、電池ケース１０１の挿入、取り出しが可能なように電池ケース１０１の外形とほぼ同形で、電池ケース１０１の挿入及び取り出しが行えるように電池ケース１０１より少し大きく形成する（図４、図６、図９参照）。この実施例の場合、電池ケース１０１は外形がほぼ直方体形であるので、電池ケース収納部１０２もほぼ直方体形に形成される。この電池ケース収納部１０２は４つの周囲を囲む電池ケース収納部側壁１０３と、底板を形成する電池ケース収納部後壁１０４からなる。４つの電池ケース収納部側壁１０３と電池ケース収納部後壁１０４は、樹脂材料によりメガホンボディー３と連続一体成型される。
【００３２】
電池ケース収納部側壁１０３の内側には、電池ケース収納部１０２の開口部１０７付近に電池ケース１０１の一方の嵌め合せ構造１０５を形成し、電池ケース収納部側壁１０３の対向する内側面に電池ケース１０１の一方の挿入ガイド機構１０６ａ、１０６ｂを形成する。
上記開口部１０７は電池ケース収納部１０２の外周を内接するよう電池ケース収納部１０２より大きく、電池ケース収納部１０２の中心軸を中心とする円形に形成される。上記一方の嵌め合せ構造１０５は、具体的には開口部１０７の内側面に形成した雌ねじ又は雄ねじである。図４、図６、図９は雌ねじを示す。雌ねじ又は雄ねじ以外に、斜線、曲線或いは螺旋螺形状であってもよい。
【００３３】
また、図６に示すように、上記一方の挿入ガイド機構１０６ａ、１０６ｂは、具体的には電池ケース収納部側壁１０３の内壁に形成された凹条部よりなる。上記一方の挿入ガイド機構１０６ａ、１０６ｂは電池ケース１０１の挿入方向に沿って形成される。ここでは一方の挿入ガイド機構１０６ａ、１０６ｂは２つの凹条部よりなり、電池ケース収納部１０２の中心軸を通る線（または、電池ケース１０１の挿入方向）に直交する線に対し、線対称に配置される。また、上記一方の挿入ガイド機構１０６ａ、１０６ｂとして、２つ以上の凹条部を形成する場合は、一つの凹条部は大きさが異なるようにする。即ち、図６に示すように、一方の凹条部のへこみ部分の幅を異ならせる。或いはへこみ部分の深さを異ならせる。又はへこみ部分の幅及び深さを異ならせる。
または、上記一方の挿入ガイド機構１０６ａ、１０６ｂを２つ以上の凸条部によって形成する場合は、凸条部の突出部分の幅或いは高さ、又は突出部分の幅及び高さを異ならせる。さらには、一つの凹条部又は凸条部の形状を変えてもよい。また、実施例は、一方の挿入ガイド機構１０６ａ、１０６ｂは、開口部１０７から電池ケース収納部後壁１０４に向かう直線形状を示すが、斜線形状、曲線形状或いは螺旋形状であってもよい。
上記のように、凸条部又は凹条部の大きさ、または形状を異ならせるのに代えて、上記電池ケース収納部１０２の内壁に形成される上記一方の挿入ガイド機構１０６ａ、１０６ｂを上記電池ケース収納部１０２の中心軸（または上記電池ケース１０１の挿入方向）に直交する線に対して非対称位置に配置してもよい。つまり、ほぼ直角あるいは任意の角度に配置する。
【００３４】
（電池ケース）
図５（ａ）は電池ケース１０１を分解した状態の斜視図、図５（ｂ）は電池ケース１０１を組立てた状態の電池ケースの断面図、図５（ｃ）は電池ケース１０１の一部を透視した斜視図である。電池ケース１０１は、電池取付部１１０と、蓋体１１１と、滑り構造部１２２とからなる。電池取付部１１０はこの実施例では単三電池（図示しない）を４本平行に並べる。電池の種類、本数は任意である。電池の種類と本数により電池取付部１１０の大きさ及び形状が変わる。また、電池の直列接続或いは並列接続又は直並列接続によって電池取付部１１０の大きさ及び形状が変わる。この実施例は４本の単三電池を平行に並べて直列接続する例を示し、電池取付部１１０の外形はほぼ直方体形に形成される。電池取付部１１０は、電池の両端、即ちプラス電極とマイナス電極を抑える電池端部抑え部１１３ａ、１１３ｂと、電池間の隔壁を形成する隔壁部１１４と、電池側部を抑える４つの電池側部抑え部１１５ａ〜１１５ｄとからなり、電池端部抑え部１１３ａ、１１３ｂ、隔壁部１１４と、電池側部抑え部１１５ａ〜１１５ｄは樹脂材料により一体成型される。４つの電池側部抑え部１１５ａ〜１１５ｄは樹脂材料の弾性力を利用して、隔壁部１１４との間で電池側部に圧力を加えて抑えるように電池の径より若干小さい径に成型される。電池の径より電池側部抑え部１１５ａ〜１１５ｄの径を小さくする程度は、電池の種類、樹脂材料の弾性力、及び電池を抑える圧力の大きさにより決定される。この実施例の場合、樹脂材料としては、例えばＡＳＡ樹脂を使用し、単三電池の径より０．５ｍｍ程度小さく成型した。
【００３５】
電池端部抑え部１１３ａ、１１３ｂに電池のプラス電極又はマイナス電極と接触し、かつ電池のプラス電極又はマイナス電極間を接続するコイルばね１１６ａ〜１１６ｆを取り付ける。電池端部抑え部１１３ａ、１１３ｂにコイルばね１１６ａ〜１１６ｆを取り付けるため、電池端部抑え部１１３ａ、１１３ｂに溝１１７を形成し、この溝１１７にコイルばね１１６ａ〜１１６ｆの底辺部を嵌めて取り付ける。即ち、電池端部抑え部１１３ａ、１１３ｂに２つの逆Ｌ字形突条部１２７ａと１２７ｂを向かい合わせに配置して、２つの逆Ｌ字形突条部１２７ａと１２７ｂの間に溝１１７を形成する。コイルばね１１６ａ〜１１６ｆは、４本の電池を直列接続するようにコイルばね間を接続する。たとえば、図５（ｃ）に示すように電池端部抑え部１１３ａに取り付けられたマイナス電極側のコイルばね１１６ａとプラス電極側のコイルばね１１６ｂを連続するように形成する。また、電池端部抑え部１１３ｂに取り付けられたマイナス電極側のコイルばね１１６ｃとプラス電極側のコイルばね１１６ｄ、マイナス電極側のコイルばね１１６ｅとプラス電極側のコイルばね１１６ｆを連続するように形成する。コイルばね１１６ａ〜１１６ｆの形状及び接続は、電池の種類、直列接続或いは並列接続又は直並列接続に応じて変化する。
【００３６】
そして、電池端部抑え部１１３ａには、電池のプラス電極とマイナス電極に対向する箇所に開口部１１８ａと１１８ｂを形成する。この開口部１１８ａと１１８ｂに電池ケース収納部後壁１０４より飛び出したマイナス側の電池接続端子３３とプラス側の電池接続端子３４の先端が入り、電池のプラス電極又はマイナス電極に接触する。また、電池端部抑え部１１３ｂのプラス電極側のコイルばね１１６ｆの中心位置に開口部１３０を形成する。この開口部１３０は蓋体１１１に回転リング１１２を取り付けるときに使用される。
【００３７】
蓋体１１１の直径は電池取付部１１０の幅より大きく、外形は電池ケース１０１の挿入方向の中心軸を中心として円盤状に形成する。この蓋体１１１の外周囲に電池ケース１０１の他方の嵌め合せ構造１１９を形成する。上記他方の嵌め合せ構造１１９は、蓋体１１と樹脂により一体成型される。この他方の嵌め合せ構造１１９は、例えば、雄ねじであり、電池ケース収納部１０２の開口部１０７付近に形成した一方の嵌め合せ構造１０５である雌ねじに嵌め合せられる。しかし、電池ケース収納部側壁１０３に形成される一方の嵌め合せ構造１０５が雄ねじである場合は、他方の嵌め合せ構造１１９は雌ねじが形成される。このように、他方の嵌め合せ構造１１９は、一方の嵌め合せ構造１０５の形状に対応して形成される。したがって、一方の嵌め合せ構造１０５が斜線、曲線或いは螺旋であれば、他方の嵌め合せ構造１１９は、それに対応して斜線、曲線或いは螺旋に形成される。
蓋体１１１の外側には、図８に示すように三方向に分割した３つの指孔１２０ａ、１２０ｂ、１２０ｃが形成される。電池ケース１０１を電池ケース収納部１０２に挿入する場合、及び取り出す場合、この指孔１２０ａ、１２０ｂ、１２０ｃに親指、人差し指、中指を入れて蓋体１１１を回転させて、電池ケース１０１を電池ケース収納部１０２に収納し、又は取り出しを行う。
【００３８】
電池取付部１１０の側面に電池ケース１０１の他方の挿入ガイド機構１２１ａ、１２１ｂを形成する。上記他方の挿入ガイド機構１２１ａ、１２１ｂは、電池ケース収納部１０２の電池ケース収納部側壁１０３に形成した一方の挿入ガイド機構１０６ａ、１０６ｂに対応して、電池取付部１１０の対向する面に形成され、電池ケース１０１の挿入方向に沿って形成された凸条部である。ここでは他方の挿入ガイド機構１２１ａ、１２１ｂは２つの凸条部よりなり、電池取付部１１０の中心線に直交する線に対し、線対称に配置される。また上記他方の挿入ガイド機構１２１ａ、１２１ｂとして、２つ以上の凸条部を形成する場合は、一つの凸条部は大きさが異なるようにする。即ち、２つの凸条部の突出部分の幅を異ならせる。或いは突出部分の高さを異ならせる。又は突出部分の幅及び高さを異ならせる。凸条部に変えて、凹条部を形成する場合は、凹条部のへこみ部分の幅或いは深さ、又はへこみ部分の幅及び深さを異ならせる。または、一つの凸条部または凹条部の形状を変えてもよい。この場合、一方の凸条部又は凹条部は大きさ、または形状が異なっているので、電池ケース１０１の挿入方向を間違えない。
上記一方の挿入ガイド機構１０６ａ、１０６が開口部１０７から電池ケース収納部後壁１０４に向かう直線形状であれば、他方の挿入ガイド機構１２１ａ、１２１ｂも直線形状に形成されるが、一方の挿入ガイド機構１０６ａ、１０６が斜線形状、曲線形状或いは螺旋形状であれば、他方の挿入ガイド機構１２１ａ、１２１ｂもそれに対応して斜線形状、曲線形状或いは螺旋形状に形成される。したがって、電池ケース１０１を電池ケース収納部１０２に収納する場合、又は取り出す場合、他方の挿入ガイド機構１２１ａ、１２１ｂが一方の挿入ガイド機構１０６ａ、１０６に案内されて、電池ケース１０１が電池ケース収納部１０２に収納され、又は取り出される。
【００３９】
上記のように、凸条部又は凹条部の大きさ、又は形状を異ならせるのに代えて、上記電池ケース収納部１０２の内壁に形成される上記一方の挿入ガイド機構１０６ａと１０６ｂを上記電池ケース１０１の挿入方向に直交する線に対して非対称位置に配置し、それに対応して、上記電池ケース１０１の外壁に形成される上記他方の挿入ガイド機構１２１ａと１２１ｂを上記電池ケース１０１の挿入方向に直交する線に対して非対称位置に配置する。つまり、電池ケース収納部１０２の内壁に形成した一方の挿入ガイド機構１０６ａと１０６ｂを、上記電池ケース１０１の挿入方向に直交する線に対してほぼ直角、あるいは任意の角度に配置する。これに対応して、上記電池ケース１０１に形成される上記他方の挿入ガイド機構１２１ａと１２１ｂを上記電池ケース１０１の挿入方向に直交する線に対してほぼ直角、あるいは任意の角度に配置する。このように、一方の挿入ガイド機構１０６ａと１０６ｂを電池ケース１０１の挿入方向に直交する線に対して非対称位置に配置し、それに対応して、他方の挿入ガイド機構１２１ａと１２１ｂを電池ケース１０１の挿入方向に直交する線に対して非対称位置に配置しても、電池ケース１０１の挿入方向を間違えないようにすることができる。
【００４０】
電池ケース１０１は、上記他方の嵌め合せ構造１１９と他方の挿入ガイド機構１２１ａ、１２１ｂとの間に滑り構造部１２２を備える。即ち、上記滑り構造部１２２は、電池ケース１０１の中心軸に電池ケース１０１の挿入方向に伸びる軸１２３を電池取付部１１０に形成し、この軸１２３に蓋体１１１を回転自在に嵌め合せることにより構成される。さらに詳細には、軸１２３の先端に形成したフランジ１２４と、蓋体１１１に取り付けた回転リング１１２とからなる。軸１２３とフランジ１２４は、電池取付部１１０と樹脂材料により一体成型される。
回転リング１１２は鉄あるいはステンレスやアルミニウムなどの金属材料もしくは樹脂材料よりなり、一部を切り欠きＣ字形に形成される。回転リング１１２の内径は軸１２３より大きく、フランジ１２４より小さい。回転リング１１２のＣ字形の切り欠きより軸１２３に嵌め、中心穴１２５に軸１２３を嵌めこむ。回転リング１１２は蓋体１１１に３本のねじ１２６により取り付け、固定する。上記軸１２３は回転リング１１２の厚さと回転余裕分だけ長く形成され、その先端部にフランジ１２４を形成することにより、蓋体１１１及び回転リング１１２が軸１２３を中心として回転自由となり、フランジ１２４によって回転リング１１２が抜けないので蓋体１１１及び回転リング１１２は電池取付部１１０と一体化され、電池ケース１０１を構成する。
【００４１】
電池取付部１１０に形成された軸１２３に回転リング１１２を嵌め、蓋体１１１を取り付け、固定する作業工程は次のとおりである。初めに、軸１２３にＣ字形の切り欠きより回転リング１１２を嵌める。次に、図５（ｂ）に示すように、電池端部抑え部１１３ａに形成された開口部１１８ａより、ねじ１２６を付けたドライバー１２９を挿入し、さらにドライバー１２９を電池端部抑え部１１３ｂに形成された開口部１３０を通して、蓋体１１１の１つ目のネジ穴１３１ａにネジ止めする。次に、ドライバー１２９を抜き、蓋体１１１と回転リング１１２を２つ目のネジ穴１３１ｂと開口部１３０が一致するまで回転させる。この実施例の場合、ネジ穴は３つあり、１２０°間隔であるので、１２０°回転させる。そして、再度ねじ１２６を付けたドライバー１２９を開口部１１８ａ、開口部１３０を通してねじ１２６を２つ目のネジ穴１３１ｂにネジ止めする。この工程を繰り返して、３つのねじ１２６により蓋体１１１に回転リング１１２を取り付け固定する。
ドライバー１２９の先端にねじ１２６を付けるため、ドライバー１２９は磁性材料を用い、これを着磁させ、磁性材料よりなるねじ１２６を磁気吸着させるとよい。あるいは、ドライバー１２９の先端にグリスのような粘着剤を塗り、この粘着剤によってねじ１２６を粘着させるようにしてもよい。
【００４２】
（ハンドル）
メガホンボディー３の下部にハンドル４が取り付けられる。ハンドル４は図７に示すように、ハンドル３の前方に引きがね５１が取り付けられる。電源スイッチはマイクロスイッチ５２により構成され、ボリュームスイッチケース上５３のリブ５３ｓに嵌め込むようにして取り付ける。またボリューム５４はボリュームスイッチケース上５３に、マイクロスイッチ５２を取り付けた側の反対側にボリュームナット５５により取り付ける。このようにしてマイクロスイッチ５２とボリューム５４をＶＲＳＷケース上５３に取り付けた後、ゴムカバー５６を挟んでボリュームスイッチケース下５７とともにハンドル４の内部の段部にネジ止めされる。
ボリューム５４の軸にはつまみ５８が取り付けられ、つまみ５８の周囲の一部がハンドル４の後方の穴から突出するように取り付けられ、ハンドル４の外側から操作できるようにしている。
【００４３】
マイクロスイッチ５２とボリューム５４を取り付ける際、引きがね５１をハンドル４に取り付け、ボリュームスイッチケース上５３にマイクロスイッチ５２とボリューム５４を取り付け、つまみ５８をボリューム５４に取り付けた後、つまみ５８の周囲の一部をハンドル４の後方の穴から突出させて、ゴムカバー５６、ボリュームスイッチケース下５７とともにハンドル４の段部にネジ止めする訳であるが、ボリュームスイッチケース上５３の４個のネジ穴５３ａ〜５３ｄの中、２個のネジ穴５３ｃ、５３ｄはつまみ５８の半径の内側にあるので、つまみ５８がネジ穴に一致する位置に切り欠き又は穴（図示しない）を形成し、この切り欠き又は穴にドライバーを挿入してねじ止めを行う。
マイクロスイッチ５２とボリューム５４の配線はメガホンボディー３の下部に穴６１が形成され、この穴６１にゴムブッシュ６２を嵌めて、ゴムブッシュ６２の中を通して電気回路３０に接続される。
【００４４】
ハンドル４は、図３に示すようにハンドル４の上方両側にスライド溝６３が形成されており、このスライド溝６３にメガホンボディー３の下部に形成した突部６４（図４の右側に示す）を嵌め、ハンドル４をメガホンボディー３の後方までスライドさせてメガホンボディー３とハンドル４を一体化する。その後、メガホンボディー３の前方にホーンマウス２をネジ１３でネジ止めする。これにより、ホーンマウス２、メガホンボディー３、ハンドル４が一体化され、全体を防水構造に組み立てる。
【００４５】
以上のようにして構成される電気メガホン１は一例であり、任意の電気メガホンの構造とすることが可能である。また、他の携帯電気機器及び電子機器・電気機器について詳細を説明しないが、携帯電気機器及び電子機器・電気機器の構造も任意に構成することが可能である。
【００４６】
（電池交換）
電気メガホン１に収納された電池を交換する場合、図８（ａ）に示すように、蓋体１１１の外側に形成された３つの指孔１２０ａ、１２０ｂ、１２０ｃに親指、人差し指、中指を入れて蓋体１１１を回転する。蓋体１１１を回転すると、蓋体１１１の外周囲に形成した他方の嵌め合せ構造１１９（この実施例では雄ねじ）が一方の嵌め合せ構造１０５（この実施例では雌ねじ）から緩められ、電池ケース１０１が一方の挿入ガイド機構１０６ａ、１０６ｂと他方の挿入ガイド機構１２１ａ、１２１ｂとによって案内され、電池ケース収納部１０２から取り出される。
この際、一方の嵌め合せ構造１０５及び他方の嵌め合せ構造１１９は、この実施例では雄ねじと雌ねじのねじ合わせであり、回転動作であるのに対して、一方の挿入ガイド機構１０６ａ、１０６ｂと他方の挿入ガイド機構１２１ａ、１２１ｂは、この実施例では電池ケース収納部１０２の開口部１０７から電池ケース収納部後壁１０４に向かう直線動作である。このように、蓋体１１１が回転動作し、電池取付部１１０が直線動作するので、動作方向が異なるが、電池ケース１０１には滑り構造部１２２を備えているので、蓋体１１１の回転動作と、電池取付部１１０の直線動作はスムーズに行われる。
そして、電池取付部１１０から古い電池を取り去り、新しい電池を電池取付部１１０に取り付ける。電池側部押さえ部１１５ａ〜１１５ｄは電池の径より小さく形成されているので、電池は電池側部押さえ部１１５ａ〜１１５ｄの樹脂材料の弾性力により押さえられ、電池は電池ケースの中で振動しないように保持される。例えばアルカリ乾電池とマンガン乾電池のように乾電池の外径が異なる場合であっても、電池側部押さえ部１１５ａ〜１１５ｂにより、電池は電池ケースの中で振動しないように保持される。
【００４７】
次に、電池ケース１０１を電池ケース収納部１０２に入れ、一方の挿入ガイド機構１０６ａ、１０６ｂと他方の挿入ガイド機構１２１ａ、１２１ｂを合わせる。このとき、一方の挿入ガイド機構１０６ａ、１０６ｂである凹条部或いは凸条部の大きさが異なり（即ち、凹条部のへこみ部分の幅が異なり或いはへこみ部分の深さが異なり、又はへこみ部分の幅及び深さが異なり、また凸条部の突出部分の幅或いは高さが異なり、又は幅及び高さが異なり）、他方の挿入ガイド機構１２１ａ、１２１ｂである凸条部或いは凹条部の大きさが異なる（即ち、凸条部の突出部分の幅或いは高さが異なり、又は幅及び高さが異なり、また凹条部のへこみ部分の幅が異なり或いはへこみ部分の深さが異なり、又はへこみ部分の幅及び深さが異なる）ため、凹条部或いは凸条部、又は凹条部及び凸条部の幅又は高さが一致するように合せなければならず、電池ケース１０１の挿入方向を間違えない。又は、一方の挿入ガイド機構１０６と１０６ｂ、他方の挿入ガイド機構１２１ａと１２１ｂが電池ケース１０１の挿入方向に直交する線に対して非対称に配置されているので、互いに対応するように合せなければならず、電池ケース１０１の挿入方向を間違えない。
【００４８】
そして、蓋体１１１の３つの指孔１２０ａ、１２０ｂ、１２０ｃに親指、人差し指、中指を入れて蓋体１１１を回転させ、蓋体１１１の外周囲に形成した他方の嵌め合せ構造１１９と、電池ケース収納部１０２の開口部１０７に形成した一方の嵌め合せ構造１０５を嵌め合せて、電池ケース１０１を電池ケース収納部１０２に収納する。蓋体１１１の他方の嵌め合せ構造１１９を電池ケース収納部１０２の一方の嵌め合せ構造１０５に嵌め合せるので、電池ケース１０１は一方の挿入ガイド機構１０６ａ、１０６ｂと他方の挿入ガイド機構１２１ａ、１２１ｂによって電池ケース収納部後壁１０４へ押し進められる。このため、電池ケース１０１に取り付けられた電池のプラス側端子及びマイナス側端子は、電池ケース１０１の電池端部抑え部１１３ａに形成した開口部１１８ａ、１１８ｂを通して、電池ケース収納部１０２の電池ケース収納部後壁１０４より飛び出しているマイナス側の電池接続端子３３及びプラス側の電池接続端子３４と確実に接触する。この接触状態は、蓋体１１１の他方の嵌め合せ構造１１９と、電池ケース収納部１０２の一方の嵌め合せ構造１０５の嵌め合せによって保持される。この保持状態は、一方の挿入ガイド機構１０６ａ、１０６ｂと他方の挿入ガイド機構１２１ａ、１２１ｂの挿入状態によっても保持されるので、電池ケース１０１が電池ケース収納部１０２の中で振動しないように保持される。
【００４９】
第２実施例
図９は、第２実施例を説明するために、電池ケースを取り外した状態の電気メガホンの背面図である。第１実施例において、電池ケース収納部１０２に形成した電池ケース１０１の一方の挿入ガイド機構１０６ａ、１０６ｂは２つであり、電池ケース収納部１０２の中心軸に直交する線に対し、線対称に配置したが、第２実施例では一方の挿入ガイド機構１０６ｓは１つである（図９）。また、これに対応して、第１実施例の電池ケース１０１では、他方の挿入ガイド機構１２１ａ、１２１ｂは２つであり、電池取付部１１０の中心線に直交する線に対し、線対称に配置したが、第２実施例では、他方の挿入ガイド機構１２１ｓ（図示しない）は１つである。ここで、第２実施例では、一方の挿入ガイド機構１０６ｓと他方の挿入ガイド機構１２１ｓは、電池ケース１０１が電池ケース収納部１０２に収納されるよう対応位置に配置する。
このように、一方の挿入ガイド機構１０６ｓ及び他方の挿入ガイド機構１２１ｓは１つであるので、電池ケース１０１を電池ケース収納部１０２に収納する場合、電池ケース１０１の挿入角度は一義的に決められ、電池ケース１０１の挿入角度を間違えることがない。
【００５０】
第３実施例
図１０（ａ）は、第３実施例を説明するために、コイルばねを取り付ける前の電池端部抑え部の平面図、（ｂ）コイルばねを取り付けた状態の電池端部抑え部の平面図である。
第１実施例では、電池端部抑え部１１３ａ（１１３ｂ）にコイルばね１１６ａ〜１１６ｆを取り付けるため、電池抑え部１１３ａ（１１３ｂ）に２つの逆Ｌ字形突条部１２７ａと１２７ｂを向かい合わせに配置して、２つの逆Ｌ字形突条部１２７ａと１２７ｂの間に溝１１７を形成した。第３実施例では、さらに、コイルばね１１６ｃ〜１１６ｆが挿入される側の逆Ｌ字形突条部１２７ａ、１２７ｂの水平部にテーパー１３５ａ、１３５ｂを形成する。
また、コイルばね１１６ｃ〜１１６ｆが挿入される溝１１７の内側に、コイルばね１１６ｄ、１１６ｆの底部が越えた位置にコイルばね抜け止め用突部１３６ａ、１３６ｂを形成する。コイルばね抜け止め用突部１３６ａ、１３６ｂは、電池端部抑え部１１３ｂに一体成型される。
第３実施例は上記のように構成されるので、溝１１７にコイルばね１１６ｃ〜１１６ｆを取り付ける場合、テーパー部１３５ａ、１３５ｂによってコイルばね１１６ｃ〜１１６ｆは溝１１７に案内され、スムーズに挿入することができる。そして、コイルばね１１６ｄ、１１６ｆの底部がコイルばね抜け止め用突部１３６を越えるように挿入する。これにより、コイルばね１１６ｃ〜１１６ｆが溝１１７によって電池端部抑え部１１３ｂに取り付けられ、コイルばね抜け止め用突部１３６ａ、１３６ｂによってコイルばね１１６ｃ〜１１６ｆは抜けなくなる。
【符号の説明】
【００５１】
１    電気メガホン（携帯電気機器、電子機器・電気機器）
１０１    電池ケース
１０２    電池ケース収納部
１０５    一方の嵌め合せ構造（雌ねじ又は雄ねじ）
１０６ａ、１０６ｂ    一方の挿入ガイド機構（凹条部又は凸条部）
１０７    開口部分
１１０    電池取付部
１１１    蓋体
１１２    回転リング
１１７    溝
１１８ａ，１１８ｂ    開口部
１１９    他方の嵌め合せ構造（雄ねじ又は雌ねじ）
１２１ａ、１２１ｂ    他方の挿入ガイド機構（凸条部又は凹条部）
１２２    滑り構造部
１２３    軸
１２４    フランジ
１２９    ドライバー
１２７ａ、１２７ｂ    逆Ｌ字形突条部
１３６ａ、１３６ｂ    コイルばね抜け止め用突部
【図１】
2019003829.tif 000003
【図２】
2019003829.tif 000004
【図３】
2019003829.tif 000005
【図４】
2019003829.tif 000006
【図５（ａ）】
2019003829.tif 000007
【図５（ｂ）】
2019003829.tif 000008
【図５（ｃ）】
2019003829.tif 000009
【図６】
2019003829.tif 000010
【図７】
2019003829.tif 000011
【図８】
2019003829.tif 000012
【図９】
2019003829.tif 000013
【図１０（ａ）】
2019003829.tif 000014
【図１０（ｂ）】
2019003829.tif 000015